(57)【要約】【課題】コスト上昇を招くことなく灰皿および缶の載置部としての両機能を回転構造を利用して設定できる構成の灰皿を備えた遊技機を提供する。【解決手段】遊技機の前面操作面下部に受け皿アッセンブリーを備え、該受け皿アッセンブリー２Ｍの片側に回動可能に支持された灰皿３を備えた遊技機２において、灰皿３は、一方を開口された箱形状とされ、側面に回動支点となる支持ピン４が設けられ、灰皿３を収容する受け皿アッセンブリー２Ｍには、支持ピン４を嵌合させて水平方向および垂直方向にガイド可能なガイド部２Ｍ３が設けられ、灰皿３の底部表面に設けられた缶受け部３Ｂが上向き状態の時に該底部表面と隣接する受け皿アッセンブリー２Ｍの上面とを連続する平坦面とするとともに缶受け部３Ｂに連続する凹部Ｒにより缶の横ずれおよび他俺を防止した状態で載置できる面を構成することを特徴とする。【選択図】    図５
2004290463.tif 000002
【特許請求の範囲】
【請求項１】
遊技機の前面操作面下部に受け皿アッセンブリーを備え、該受け皿アッセンブリーの片側に回動可能に支持された灰皿を備えた遊技機において、
上記灰皿は、一方を開口された箱形状とされ、側面に回動支点となる支持ピンが設けられ、
上記灰皿を収容する上記受け皿アッセンブリーには、上記支持ピンを嵌合させて水平方向および垂直方向にガイド可能なガイド部が設けられ、
上記灰皿の底部表面が上向き状態の時に該底部表面と隣接する受け皿アッセンブリー上面とを連続する平坦面とすることで缶を載置可能な缶受け部として用いることを特徴とする遊技機。
【請求項２】
請求項１記載の遊技機において、
上記缶受け部は、上記灰皿の底部表面またはこれに隣接する受け皿アッセンブリー上面に連続する缶の周縁軌跡を有した凹部で構成されていることを特徴とする遊技機。
【請求項３】
請求項１または２記載の遊技機において、
上記受け部には、その表面に磁石あるいは高摩擦係数部材が配置されていることを特徴とする遊技機。
【請求項４】
請求項１または２記載の遊技機において、
上記灰皿には、底部表面が下向き状態で吸い殻回収開口が上向き状態の時にこの状態から吸い殻回収開口若しくは底部表面が下向きになる方向に回動するのを規制する構成が設けられていることを特徴とする遊技機。
【請求項５】
請求項４記載の遊技機において、
上記灰皿の回動を規制する構成として、上記灰皿側に設けた係止ピンと、上記受け皿アッセンブリー側に設けられて上記係止ピンに対して係脱可能な係止レバーとを備えていることを特徴とする遊技機。
【請求項６】
請求項１，４または５記載の遊技機において、
上記灰皿は、上記ガイド部における水平方向で回動し、垂直方向で変位することにより吸い殻回収開口および缶受け部を反転させた状態で受け皿アッセンブリー側の収容位置に格納される構成であることを特徴とする遊技機。
【請求項７】
請求項４乃至６のうちの一つに記載の遊技機において、
上記受け皿アッセンブリーにおける灰皿の収容位置には、該灰皿の下面を衝止可能な係止片が設けられていることを特徴とする遊技機。
【請求項８】
請求項１乃至７のうちの一つに記載の遊技機において、
上記灰皿は、上記受け皿アッセンブリーにおける収容位置に対して装填されて上記ガイド部に上記支持ピンを位置決めされた後、装填方向前方側と該ガイド部との間に上記支持ピンが装填方向に沿って脱落するのを防止する脱落防止部材が固定されることを特徴とする遊技機。
【発明の詳細な説明】
【０００１】
【発明の属する技術分野】
本発明は、パチンコ遊技機、スロットマシンあるいは雀球機さらにはパチスロマシンやゲームセンタで用いられるゲーム機などの箱形遊技機に関し、さらに詳しくは灰皿の構造に関する。
【０００２】
【従来の技術】
遊技機、特に箱型遊技機に相当するパチンコ台やスロットマシンにおいては、遊技者の喫煙用としての灰皿が設けられている場合がある。
灰皿は吸い殻を収容可能な窪みを有する灰皿本体で構成され、この灰皿本体が遊技機の正面に位置する盤面の下部片側に設けられている凹状の支持部内に装填されて回転できる状態で用いられる（例えば、特許文献１）。
近年、禁煙者が増加してきており、遊技場においても喫煙席と禁煙席とを準備する場合があり、禁煙席に用いられる遊技機には灰皿を設けないで本来、灰皿を取り付ける位置を盲板などで覆ったりする処置が採られていた。しかし、遊技機は遊技場の形態に応じて灰皿の有無を仕分けすることが部品管理や部品コストにおいて不利となるので、一つの灰皿を禁煙用と喫煙用とに区別できる構成を用いることもある（例えば、特許文献２）。
一方、遊技機には、ジュースや飲料水などの缶を置くスペースを確保するために、灰皿を利用する場合があり、この構成としては、灰皿の吸い殻投入口に缶を載置できる受け部を設けた構成が提案されている（例えば、特許文献３）。
【特許文献１】
特開平１０−１４６４３０号公報、段落「００１９」〜「００２０」欄、図４〜６）
【特許文献２】
特開平９−２０６４５１号公報（段落「００１３」欄、図２）
【特許文献３】
特開平１０−１９２５１１号公報（段落「００３４」欄、図６）
【０００３】
【発明が解決しようとする課題】
しかし、上記特許文献に示されたような構成の灰皿においては、各構成を併せることで缶の載置構造を備えると共に禁煙用としての盲板などを不要とする構成が得られる反面、次のような問題がある。
禁煙時と喫煙時との切換のために灰皿を用いる場合、灰皿を遊技機の前面で挿脱することが必要となり（特許文献２）、その際の衝撃により灰皿内に溜まった吸い殻が外に零れる虞がある。このような不具合を解消するために特許文献１に示されているように回転構造とした場合には、吸い殻受け口に缶の載置部を設けた構成（特許文献３）での機能を発揮することができなくなる。
一方、遊技機に備え付けられている灰皿を使用できないように盲板により塞ぐような処置を採用すると、遊技機の型式によって灰皿に装着する盲板のサイズや形状が異なることが原因して盲板の種類が多くなり、加工コストや部品管理において不利が生じる。
【０００４】
本発明の目的は、上記従来の遊技機、特に遊技機側において回転可能に設けられている灰皿における問題に鑑み、コスト上昇を招くことなく灰皿および缶の載置部としての両機能を回転構造を利用して設定できる構成の灰皿を備えた遊技機を提供することにある。
【０００５】
請求項１記載の発明は、遊技機の前面操作面下部に受け皿アッセンブリーを備え、該受け皿アッセンブリーの片側に回動可能に支持された灰皿を備えた遊技機において、上記灰皿は、一方を開口された箱形状とされ、側面に回動支点となる支持ピンが設けられ、上記灰皿を収容する上記受け皿アッセンブリーには、上記支持ピンを嵌合させて水平方向および垂直方向にガイド可能なガイド部が設けられ、上記灰皿の底部表面が上向き状態の時に該底部表面と隣接する受け皿アッセンブリー上面とを連続する平坦面とすることで缶を載置可能な缶受け部として用いることを特徴としている。
【０００６】
請求項１記載の発明では、灰皿を回転させて使用できない状態とするだけで缶を載置できるスペースとすることができる。これにより、遊技者あるいは製造時に灰皿を使用するかしないかを選択するだけで灰皿として使用できない状態が得られることになり、盲板などによる灰皿の目隠しなどの構造が不要となる。
【０００７】
請求項２記載の発明は、請求項１記載の発明に加えて、上記缶受け部は、上記灰皿の底部表面またはこれに隣接する受け皿アッセンブリー上面に連続する缶の周縁軌跡を有した凹部で構成されていることを特徴としている。
【０００８】
請求項３記載の発明は、請求項１または２記載の発明に加えて、上記受け部には、その表面に磁石あるいは高摩擦係数部材が配置されていることを特徴としている。
【０００９】
請求項２および３記載の発明では、缶受け部が灰皿自体の底部表面あるいは底部表面に設けられた缶の周縁軌跡を有した凹部あるいは底部表面に隣接する受け皿アッセンブリーの上部表面に連続する缶の周縁軌跡を有した凹部で構成されているので、載置された缶の横ずれを防止して遊技中に不用意に缶が倒れないようにすることができ、さらに、請求項３記載の発明では、缶自体を受け部に吸着あるいは横滑りしない状態とすることで倒れを防止することができる。
【００１０】
請求項４記載の発明は、請求項１または２記載の発明に加えて、上記灰皿には、底部表面が下向き状態で吸い殻回収開口が上向き状態の時若しくはこの逆の状態の時にこの状態から吸い殻回収開口若しくは底部表面が下向きになる方向に回動するのを規制する構成が設けられていることを特徴としている。
【００１１】
請求項５記載の発明は、請求項４記載の発明に加えて、上記灰皿の回動を規制する構成として、上記灰皿側に設けた係止ピンと、上記受け皿アッセンブリー側に設けられて上記係止ピンに対して係脱可能な係止レバーとを備えていることを特徴としている。
【００１２】
請求項４および５記載の発明では、灰皿の吸い殻回収開口が下向きになった状態で灰皿が回動するのを係止ピンとこれに係脱可能な係止レバーにより規制する構成を備えているので、係止レバーを外さない限りは不用意に灰皿が回動しない状態とすることができる。これにより、缶を載置している状態で不用意に灰皿が回動することがなく、缶が倒れてしまうのを確実に防止することができる。
【００１３】
請求項６記載の発明は、請求項１，４または５記載の発明に加えて、上記灰皿は、上記ガイド部における水平方向で回動し、垂直方向で変位することにより吸い殻回収開口および缶受け部を反転させた状態で受け皿アッセンブリー側の収容位置に格納される構成であることを特徴としている。
【００１４】
請求項６記載の発明では、灰皿の回動が水平方向で行われ、垂直方向では回動しないようになっているので、受け皿アッセンブリー側の収容位置の壁面から遠ざかった位置で回動することができ、これにより収容位置で近隣部との干渉が避けられることにより、受け皿アッセンブリー側での灰皿の回動スペースを大きく設定する必要がなくなるとともに、干渉しない分、円滑な回動が行える。
【００１５】
請求項７記載の発明は、請求項４乃至６のうちの一つに記載の発明に加えて、上記受け皿アッセンブリーにおける灰皿の収容位置には、該灰皿の下面を衝止可能な係止片が設けられていることを特徴としている。
【００１６】
請求項７記載の発明では、灰皿の下面を支持する係止片が設けられているので、灰皿の不用意な回動を防止できると共に、灰皿の脱落を防止することができる。
【００１７】
請求項８記載の発明は、請求項１乃至６のうちの一つに記載の発明に加えて、上記灰皿は、上記受け皿アッセンブリーにおける収容位置に対して装填されて上記ガイド部に上記支持ピンを位置決めされた後、装填方向前方側と該ガイド部との間に上記支持ピンが装填方向に沿って脱落するのを防止する脱落防止部材が固定されることを特徴としている。
【００１８】
請求項８記載の発明では、受け皿アッセンブリーにおける灰皿収容位置に灰皿を装填する際には、支持ピンがガイド部に入り込むための隙間が存在するが、灰皿が装填された後にその隙間分が脱落防止部材によって塞がれるので、灰皿が装填方向前方に引き出すことができない状態とされて脱落を防止できる、これにより、装填方向前方に引き出す操作で灰皿が持ち去られてしまうのを防止することができる。
【００１９】
【発明の実施の形態】
以下、図面により本発明の実施の形態を説明する。なお、本実施形態では、メダルの払い出しを行う構成を備えたスロットルマシンを対象として説明するが、本発明が対象とする遊技機は、これに限らず、他の箱型遊技機、または、パチンコ遊技機に使用してもよい。
図１は、遊技島台としてのスロットルマシン台１が示されており、スロットルマシン台１は、複数のスロットルマシン２を１ブロック単位として複数ブロックを連続させて遊技島台として構成されている。
スロットルマシン台１は、上部に島ランプ１Ａおよびメダル箱置き場１Ｂを備えた天板１Ｃが配置され、天板１Ｃの下方に１台のスロットルマシン毎にその側方に配置されたメダル貸し機１Ｄを組み合わせて配置されて構成されている。メダル貸し機１Ｄは、周知の現金投入口１Ｄ１，貸しメタル払い出し口１Ｄ２を備えた構成が用いられる。
【００２０】
スロットルマシン２は、正面操作面を示す図２において、上段側にフィーバレンズ２Ａが、そして上段中央に演出用パネル２Ｂが、さらに演出用パネル２Ｂの両側にスピーカ２Ｃがそれぞれ設けられ、中段側に、リールを露出させる中パネル２Ｄ、ベットボタン２Ｅ、メダル投入口２Ｆ、スタートレバー２Ｇ、ストップボタン２Ｈがそれぞれ配置され、下段側には下パネル２Ｊさらにはその下方にメダル払い出し口２Ｋ、スピーカ２Ｌおよび受け皿アッセンブリー２Ｍが配置されている。
【００２１】
図３は、受け皿アッセンブリー２Ｍの構成を示す図であり、同図において受け皿アッセンブリー２Ｍは、スロットルマシン２の筐体に一体的に組み立てられる樹脂製あるいは金属製の成形体で構成された受け部本体２Ｍ１を備えており、受け部本体２Ｍ１における片側には、灰皿３の収容部２Ｍ２が設けられている。
収容部２Ｍ２は、遊技者が対面する側を開放した平面視凹状部とされており、対向壁面２Ｍ２Ａ間の間隔が灰皿３の側面間の間隔よりも僅かに広い間隔とされて灰皿３の回動を許容している。
【００２２】
図３において収容部２Ｍ２における対向壁面２Ｍ２Ａには、逆向きのＬ字状をなす溝で構成されたガイド部２Ｍ３が設けられている。
ガイド部２Ｍ３は、収容部２Ｍ２の奥側が垂直方向に延長され、その上端位置から水平方向に延長された形状であり、水平部分の長さは、後述する支持ピン４が水平部分から垂直部分入り込むように変位した際に灰皿３を収容部２Ｍ２内に格納できる支持ピン４の移動ストロークが得られる長さに設定されている。
【００２３】
図４は、灰皿３の構成を説明するための図であり、同図において灰皿３は、一方の面が吸い殻回収開口３Ａとされた箱形状部材であり、吸い殻回収開口３Ａと反対側の底部表面には、図４（Ｂ）に示すように、ジュースや飲料水用などの缶底部の周縁軌跡に整合する凹部で構成された缶受け部３Ｂが形成され、さらに、収容部２Ｍ２の対向壁面２Ｍ２Ａに対向する側面には、支持ピン４が取り付けられている。
支持ピン４の設置位置は、図５に示すように、吸い殻回収開口３Ａが上向きの時に収容部２Ｍ２側のガイド部２Ｍ３における水平方向延長部分の末端位置とされている。灰皿３は、支持ピン４の位置を支点として、図６において二点鎖線で途中経過を示すように、反時計方向に回転することができ、これによって、底面の缶受け部３Ｂを上面に露呈させることができるようになっている。
灰皿３を回転させて缶受け部３Ｂを上面に露呈させる場合としては、灰皿３を缶の載置部として用いるようにセットする場合および遊技場の管理者による吸い殻回収作業を行う場合が相当している。
図６に示すように、灰皿３における吸い殻回収開口３Ａが下向きとなった状態では、回動支点となる支持ピン４の位置がガイド部２Ｍ３における水平方向末端であることにより収容部２Ｍ２から外側に突出した状態となり、この状態において吸い殻Ｓが落下できるようになっている。なお、図５および図６において符号５はスロットルマシン２の筐体底板を示し、符号６は遊技島台の棚板を示している。また、収容部２Ｍ２における奥側の壁面は、灰皿３の回動を許容するために灰皿の回動時に干渉することがないように支持ピン４を中心とした円弧状の面に形成されている。
【００２４】
図４において灰皿３における缶受け部３Ｂは、凹部で構成されていることにより缶の周縁が水平方向に動く、いわゆる横ずれを規制することができ、さらに加えて、缶受け部３Ｂには、缶の横ずれを防止するための構成として、図５に示すように磁石７あるいは図示しないが、高い摩擦係数を有するマット部材が貼り付けされている。これにより、缶受け部３Ｂに載置された缶は横ずれが防止されることにより不用意に倒れるのを防止された状態を維持できるようになっている。缶受け部３Ｂは、灰皿３の底部表面のみで載置可能な缶のサイズに合わせた円を描ける場合には、底部表面のみに設けられ、また、サイズが灰皿３の底部の大きさ以上である場合には、図３において符号Ｒで示すように、灰皿３の底部表面に隣接する受け皿アッセンブリー２Ｍの上面に灰皿３の底部表面側に形成された缶の周縁軌跡の一部を連続させた凹部を構成することにより缶を灰皿３の底部表面と受け皿アッセンブリー２Ｍの上面とに亘って載置させる。
【００２５】
支持ピン４の位置を支点として反転可能な方向に回動する灰皿３を収容する収容部２Ｍ２には、図５および図７に示すように、灰皿３における吸い殻回収開口３Ａを有する面および底部表面のそれぞれの一部に設けられている頭部付の係止ピン８に対して係脱可能な係止レバー９が揺動可能に設けられている。
係止レバー９は、収容部２Ｍ２の底面に対してヒンジ結合されており、揺動端に形成されているフォーク状係合部が係止ピン８に係脱できるようになっており、係合時には灰皿３が不用意に回動するの阻止するようになっている。
【００２６】
収容部２Ｍ２には、上述した係止レバー９に加えて、灰皿３の回動を阻止するための構成として、図３および図５に示すように、灰皿３の回動時に干渉しない位置で灰皿３の底部を支持可能な突出片で構成された係止片１０が設けられている。
【００２７】
本実施形態は以上のような構成であるから、灰皿３を本来の灰皿として用いる場合あるいは缶の載置部として用いる場合さらには灰皿として用いた場合の吸い殻を回収する場合をそれぞれ遊技場の管理者により選択することができる。
つまり、灰皿３を本来の機能に用いる場合には、遊技場の管理者により吸い殻回収開口３Ａが上面に位置するように灰皿３の態位が設定され、その態位が、係止レバー９による係止ピン８の係合操作により維持される。この結果、係止レバー９および係止片１０によって灰皿３は、本来の灰皿としての機能を発揮できる状態に維持されることになる。
一方、遊技場の管理者による吸い殻回収作業時には、管理者により係止レバー９が係止ピン８から外されて、缶受け部３Ｂが上面に位置するように灰皿３が回転される。これにより、図６に示すように、灰皿３は、今まで上面に位置していた吸い殻回収開口３Ａが下向きになり、しかも、回動支点となる支持ピン４の位置を基準として収容部２Ｍ２から外側において吸い殻回収開口３Ａが下向きとなるので、従来と同様な手順で吸い殻回収が可能である。
【００２８】
遊技場内の禁煙コーナーなどにおいて灰皿３を缶の載置部として用いる場合には、遊技場の管理者により缶受け部３Ｂが上面に位置するように灰皿３が回転される。
【００２９】
灰皿３を、吸い殻回収開口３Ａが下向き状態となるように回動させると、底部表面の缶受け部３Ｂが上向きとなる。
この状態において灰皿３は支持ピン４の位置をガイド部２Ｍ３の水平部分から垂直部分へと変位させることにより、収容部２Ｍ２内に格納された状態で位置決めされる。
図８は、回動することで底部表面が上向き状態にある灰皿３の支持ピン４がガイド部２Ｍ３の水平部分から垂直部分に変位する過程を示しており、同図において、ガイド部２Ｍ３の水平部分を支持ピン４が移動することで灰皿３が収容部２Ｍ２に格納される状態となると、垂直部分を支持ピン４が落下することにより収容部２Ｍ２に有する係止片１０に吸い殻回収開口３Ａ側の面が衝止され、これにより灰皿３の底部表面に有する缶受け部３Ｂが上向き状態に維持される。図９（Ａ）は、この状態を示している。
【００３０】
缶受け部３Ｂが上向き状態とされている灰皿３は、図８に示すように、吸い殻回収用開口３Ａを有する面の一部に設けられている係止ピン８が係止レバー９により係合されることで係止片１０と共に不用意な回動を阻止された状態を維持する。
【００３１】
上向きの缶受け部３Ｂに載置される缶は、例えば鉄製の缶であれば磁石７（図５参照）により磁気吸着されると共にその底部周縁が缶受け部３Ｂの凹部周縁に突き当たることで不用意な倒れを防止され、磁性材料でない缶の場合には、高摩擦係数部材と缶底部との間の摩擦抵抗により横ずれを防止されるので、不用意な倒れが防止されることになる。
【００３２】
本実施形態における灰皿３の組み付けは、次の通りである。
収容部２Ｍ２において、灰皿３の装填方向前方側、つまり、収容部２Ｍ２の奥側と反対側に相当する手前側での対向壁面２Ｍ２Ａ間の間隔（図９（Ａ）において符号Ｌ２で示す間隔）が灰皿３に有する支持ピン４をガイド部２Ｍ３内に入り込ませることができる間隔とされており、ガイド部２Ｍ３における灰皿３の装填方向前方部分の一部を含めた部分以外での対向壁面の対向間隔（図９（Ａ）において符号Ｌ１で示す間隔）よりも広くされている。このため、図９（Ｂ）に示すように、収容部２Ｍ２における灰皿挿入側の壁面には、上述した対向間隔の差を埋めて灰皿３の脱落を防止する部材としての埋設部材１１が締結あるいは貼り付けなどによって灰皿３を収容部２Ｍ２に装填した後に設けられるようになっている。これにより、支持ピン４がガイド部２Ｍ３から抜け出ることがないので、灰皿３を引き出して持ち去ることができないようにされる。
【００３３】
本実施形態においては、灰皿３を本来の機能に用いる場合と缶の載置部として用いる場合とを遊技者自身あるいは、遊技場に遊技島台を構成した時点で選択できるようになっている。つまり、灰皿３の使用態様は、係止ピン８に対する係止レバー９の係脱状態を選択すればよく、係止レバー９を係止ピン８から外すことで灰皿３を回動させて使用態様に応じた吸い殻回収開口３Ａおよびこれと反対側の缶受け部３Ｂの向きを設定すればよいことになる。特に、係止レバー９の係脱状態の選択という操作を必要とすることから、遊技者自身あるいは設置時での意志に基づき使用態様の選択が可能となり、使用態様において灰皿から缶の載置部とする場合には、灰皿に残存していた吸い殻を自動的に落下させて回収できる状態とすることができる。なお、係止レバー９に代えてラッチ機構などを用いて係脱動作の選択が行える構成とすることも可能である。
【００３４】
【発明の効果】
請求項１記載の発明によれば、灰皿を回転させて使用できない状態とするだけで缶を載置できるスペースとすることができる。これにより、遊技者あるいは製造時に灰皿を使用するかしないかを選択するだけで灰皿として使用できない状態が得られることになり、盲板などによる灰皿の目隠しなどの構造が不要となり、缶置き歯として限られたスペースを有効活用することができる。
【００３５】
請求項２および３記載の発明によれば、缶受け部が灰皿自体の底部表面あるいは底部表面に設けられた缶の周縁軌跡を有した凹部あるいは底部表面に隣接する受け皿アッセンブリーの上部表面に連続する缶の周縁軌跡を有した凹部で構成されているので、載置された缶の横ずれを防止して遊技中に不用意に缶が倒れないようにすることができ、さらに、請求項３記載の発明では、缶自体を受け部に吸着あるいは横滑りしない状態とすることで倒れを防止することができる。
【００３６】
請求項４および５記載の発明によれば、灰皿の吸い殻回収開口が下向きになった状態で灰皿が回動するのを係止ピントこれに係脱可能な係止レバーにより規制する構成を備えているので、係止レバーを外さない限りは不用意に灰皿が回動しない状態とすることができる。これにより、缶を載置している状態で不用意に灰皿が回動することがなく、缶の倒れ確実に防止することができる。
【００３７】
請求項６記載の発明によれば、灰皿の回動が水平方向部分で行われ、換言すれば、灰皿の収容位置壁面から遠ざかった位置で回動することができるので、受け皿アッセンブリーにおける灰皿収容位置のスペースが小さくてもそのスペース内での干渉を起こすことなく円滑に回動させることができる。
【００３８】
請求項７記載の発明によれば、灰皿の下面を支持する係止片が設けられているので、灰皿の不用意な回動を防止できると共に、灰皿の脱落を防止することができる。
【００３９】
請求項８記載の発明によれば、受け皿アッセンブリーにおける灰皿収容位置に灰皿を装填する際には、支持ピンがガイド部に入り込むための隙間が存在するが、灰皿が装填された後にその隙間分が脱落防止部材によって塞がれるので、灰皿が装填方向前方に引き出すことができない状態とされて脱落を防止できる、これにより、装填方向前方に引き出す操作で灰皿が持ち去られてしまうのを防止することができる。
【図面の簡単な説明】
【図１】本発明の実施形態に係る遊技機の一つであるスロットマシン台で遊技島を構成した場合を説明する図である。
【図２】図１に示した遊技島に用いられるスロットマシンの正面図である。
【図３】図２に示したスロットマシンに装備されている受け皿アッセンブリーの構成を説明するための斜視図である。
【図４】図３に示した受け皿アッセンブリーに用いられる灰皿の構成を説明するための図であり、（Ａ）は吸い殻回収開口が上向きの状態を、（Ｂ）は底部表面をそれぞれ示している。
【図５】図４に示した灰皿の設置構成を説明するための図である。
【図６】図５に示した灰皿の一態様を示す図である。
【図７】図５に示した状態の灰皿の平面図である。
【図８】図５に示した灰皿の他の態様である缶受け部が上向きの状態を説明するための図である。
【図９】図８に示した灰皿の構成を示す図であり、（Ａ）は平面図、（Ｂ）は灰皿の収容位置の構成を示している。
【符号の説明】
１          遊技島
２          スロットマシン
２Ｍ        受け皿アッセンブリー
２Ｍ２      灰皿収容部
２Ｍ２Ａ    対向壁面
２Ｍ３      ガイド部
３          灰皿
３Ａ        吸い殻回収開口
３Ｂ        缶受け部
４          支持ピン
７          磁石
８          係止ピン
９          係止レバー
１０        係止片
１１        脱落防止用埋設部材
Ｒ          凹部の一部
【図１】
2004290463.tif 000003
【図２】
2004290463.tif 000004
【図３】
2004290463.tif 000005
【図４】
2004290463.tif 000006
【図５】
2004290463.tif 000007
【図６】
2004290463.tif 000008
【図７】
2004290463.tif 000009
【図８】
2004290463.tif 000010
【図９】
2004290463.tif 000011